(57)【要約】【課題】撮影光学系のカバー部材を備えながら本体の小型化を図り、撮影時には持ちやすい大きさとなる撮影装置を提供する。【解決手段】撮影用光学系と１５、撮影を補助するための撮影補助部１２とを有する撮影装置１において、撮影装置１の撮影状態では、撮影補助部１２は撮影用光学系１５の光軸外へ配置され、撮影装置１の携帯状態では、撮影補助部１２は撮影用光学系１５の被写体側であって略光軸上に配置されていることを特徴とする。【選択図】図１
2005292343.tif 000002
【特許請求の範囲】
【請求項１】
撮影用光学系と、撮影を補助するための撮影補助部とを有する撮影装置において、
前記撮影装置の撮影状態では、前記撮影補助部は前記撮影用光学系の光軸外へ配置され、
前記撮影装置の携帯状態では、前記撮影補助部は前記撮影用光学系の被写体側であって略光軸上に配置されていることを特徴とする撮影装置。
【請求項２】
前記撮影用光学系を有する第１部材と、前記撮影補助部を有する第２部材とを有し、
前記第１部材と前記第２部材とはスライド機構を介して接続されており、
前記撮影状態と前記携帯状態との切り替えに際する前記撮影補助部の前記撮影用光学系の光軸内への挿脱は、前記第２部材を前記第１部材に対してスライドさせて行うことを特徴とする請求項１に記載の撮影装置。
【請求項３】
前記撮影補助部は、被写体を照明するための発光部であることを特徴とする請求項１又は請求項２に記載の撮影装置。
【請求項４】
前記撮影補助部は、フォーカシング時に被写体との距離を測定する測定部であることを特徴とする請求項１から請求項３のいずれか１項に記載の撮影装置。
【請求項５】
前記撮影補助部は、カメラ状態を表示するカメラ状態表示部であることを特徴とする請求項１から請求項４のいずれか１項に記載の撮影装置。
【請求項６】
撮影結果を表示する撮影結果表示部を有する本体部と、
前記撮影用光学系と、前記補助光学系とを有する撮影側本体部とからなり、
前記本体部と前記撮影側本体部とは、回転連結部によって接続されており、回転可能であることを特徴とする請求項１から請求項５のいずれか１項に記載の撮影装置。
【請求項７】
前記撮影用光学系の被写体側に前記撮影用光学系を保護するための保護部材を有することを特徴とする請求項１から請求項６のいずれか１項に記載の撮影装置。
【請求項８】
前記撮影補助部は、クリーニング部材を有し、前記撮影補助部の前記撮影用光学系の光軸内への挿脱に際し、不要物を前記クリーニング部材によって除去する機能を有することを特徴とする請求項１から請求項７のいずれか１項に記載の撮影装置。
【発明の詳細な説明】
【技術分野】
【０００１】
本発明は、デジタルカメラ等の撮影装置に関する。
【背景技術】
【０００２】
近年、コンパクトカメラにおいては、３５ｍｍフィルム等の感光性フィルムの替わりにＣＣＤ等の電子撮像素子が使用されている。このＣＣＤ等の電子撮像素子は、素子自身が小さいため、カメラ本体の小型化も図られてきている（例えば、特許文献１を参照。）。
また、撮影用の光学系を何かにぶつけて破損してしまうことがないように、開閉自在のレンズカバーが設けられているカメラも提案されている（例えば、特許文献２を参照。）。
【特許文献１】特開2002-196408号公報
【特許文献２】特開2002-344779号公報
【発明の開示】
【発明が解決しようとする課題】
【０００３】
しかしながら、上記特許文献１に開示されているカメラは、カメラ本体を変形させることによって小型化を図るものであるが、携帯時のカメラ本体の厚みが厚くなるため好ましくないという問題がある。また、一般に小型のカメラは、携帯性には優れているものの撮影時には手で保持しにくい大きさであるため、本体を落としたり、撮影画像がぶれやすい等の取り扱い上の問題が発生しやすくなってしまうという欠点がある。
また、上記特許文献２に開示されているカメラは、レンズカバーを開いた状態と閉じた状態との両方の位置で当該カバーを保持する構造が必要となるため、カメラ本体が大きくなってしまうという欠点がある。
【０００４】
そこで本発明は上記問題点に鑑みてなされたものであり、撮影光学系のカバー部材を備えながら本体の小型化を図り、撮影時には持ちやすい大きさとなる撮影装置を提供することを目的とする。
【課題を解決するための手段】
【０００５】
上記課題を解決するために本発明は、
撮影用光学系と、撮影を補助するための撮影補助部とを有する撮影装置において、
前記撮影装置の撮影状態では、前記撮影補助部は前記撮影用光学系の光軸外へ配置され、
前記撮影装置の携帯状態では、前記撮影補助部は前記撮影用光学系の被写体側であって略光軸上に配置されていることを特徴とする撮影装置を提供する。
【０００６】
また本発明の撮影装置は、
前記撮影用光学系を有する第１部材と、前記撮影補助部を有する第２部材とを有し、
前記第１部材と前記第２部材とはスライド機構を介して接続されており、
前記撮影状態と前記携帯状態との切り替えに際する前記撮影補助部の前記撮影用光学系の光軸内への挿脱は、前記第２部材を前記第１部材に対してスライドさせて行うことが望ましい。
【０００７】
また本発明の撮影装置は、
前記撮影補助部は、被写体を照明するための発光部であることが望ましい。
【０００８】
また本発明の撮影装置は、
前記撮影補助部は、フォーカシング時に被写体との距離を測定する測定部であることが望ましい。
【０００９】
また本発明の撮影装置は、
前記撮影補助部は、カメラ状態を表示するカメラ状態表示部であることが望ましい。
【００１０】
また本発明の撮影装置は、
撮影結果を表示する撮影結果表示部を有する本体部と、
前記撮影用光学系と、前記補助光学系とを有する撮影側本体部とからなり、
前記本体部と前記撮影側本体部とは、回転連結部によって接続されており、回転可能であることが望ましい。
【００１１】
また本発明の撮影装置は、
前記撮影用光学系の被写体側に前記撮影用光学系を保護するための保護部材を有することが望ましい。
【００１２】
また本発明の撮影装置は、
前記撮影補助部は、クリーニング部材を有し、前記撮影補助部の前記撮影用光学系の光軸内への挿脱に際し、不要物を前記クリーニング部材によって除去する機能を有することが望ましい。
【発明の効果】
【００１３】
本発明によれば、撮影光学系のカバー部材を備えながら本体の小型化を図り、撮影時には持ちやすい大きさとなる撮影装置を提供することができる。
【発明を実施するための最良の形態】
【００１４】
以下、添付図面に基づき本発明の実施形態に係る撮影装置について詳細に説明する。
図１は、本発明の実施形態に係る撮影装置の撮影時の要部を断面で示した背面図（ａ）、上面図（ｂ）、スライド機構を説明する要部上面図（ｃ）を示す。
図１に示すように本実施形態に係る撮影装置であるデジタルカメラ１は、本体部２と、撮影側本体部３とから構成されており、これら本体部３，４は回転連結部５によって相互に回転可能に連結されている。なお、本実施形態では回転連結部５として公知の中空軸が用いられている。
本体部２の上面にはシャッタボタン６が備えられており、背面には液晶モニタ７と、ズームボタン８等の操作用スイッチ類が備えられている。なお、本体部２の上面には主電源のスイッチ等を配置してもよい。
【００１５】
撮影側本体部３は、外側部材９と内側部材１０とからなり、当該外側部材９と内側部材１０との間には公知のスライド機構１１が設けられており、外側部材９を内側部材１０に対してカメラの側方向すなわち図中左右方向へスライド可能な構成になっている。なお、本実施形態ではスライド機構１１として、外側部材９の内面に図中左右方向へ延びるスライド溝（不図示）とこれに噛み合うように、内側部材１０の外面にスライド凸条（不図示）が形成されている。図１は、外側部材９を図中左へスライドさせた撮影状態を示している。
【００１６】
撮影側本体部３における外側部材９は、撮影時に使用される後述の撮影補助部１２のみを備えており、外側部材９内部における撮影補助部１２の後方すなわち図中下方には空間が設けられている。
撮影補助部１２は、低照度時、逆光時、或いは任意の時に被写体を照明するための発光部であるストロボ１２ａと、フォーカシング時に被写体とカメラとの距離を測定するための測定部である外部ＡＦ部１２ｂと、カメラの状態を表示するための表示部であるＡＦ補助光及びセルフタイマーランプ１２ｃとからなる。なお、これら以外に録音用マイクや調光センサを撮影補助部１２として配置することもできる。
【００１７】
また、撮影補助部１２の図中下方端面には、クリーニング部材１３が備えられている。本実施形態においてこのクリーニング部材１３として、保護ガラス１４上の汚れを取るためのクロスが配置されているが、その他に、ブラシ、刷毛、空気ノズル等の汚れを取るための部材を配置することもできる。
【００１８】
また、撮影側本体部３における内側部材１０は、不図示の被写体側から順に、後記撮影光学系１５を保護するための保護ガラス１４と、複数のレンズからなる撮影光学系１５と、該撮影光学系１５を駆動するための駆動モータ１６と、ストロボ１２ａ用のコンデンサ１７とを備えている。なお、本実施形態における保護ガラス１４は、汚れ等が付着しにくい加工がなされている。
【００１９】
以上のように本実施形態に係る撮影装置であるデジタルカメラ１は、撮影時に、図１に示すように外側部材９を図中左方向へスライドさせて撮影側本体部３の横幅を拡大することができる。これにより、撮影者はカメラ１をぶれが生じないように適切に保持することが容易となる。またこれにより、撮影光学系１５とストロボ１２ａとを離して配置することができるため、赤目の発生等を低減することもできる。
【００２０】
次に、本実施形態に係るデジタルカメラ１の携帯時の構成について説明する。
図２は、本発明の実施形態に係る撮影装置の携帯時の要部を断面で示した背面図（ａ）、上面図（ｂ）、スライド機構を説明する要部上面図（ｃ）を示す。
本実施形態に係るデジタルカメラ１の携帯時には、まず、駆動モータ１６によって撮影光学系１５を構成する各レンズが、該レンズどうしの間隔がコンデンサ１７側へ短縮するように、保護ガラス１４とともに駆動される。これにより、撮影光学系１５の全長が短縮化され、該光学系１５の被写体側の光軸（不図示）上にスペースが確保される。
【００２１】
次に、外側部材９を図中右方向へスライドさせる。これにより、外側部材９における撮影補助部１２は撮影光学系１５の被写体側の光軸上に確保されたスペースに収納される。また、内側部材１０における保護ガラス１４、撮影光学系１５、駆動モータ１６、及びコンデンサ１７は、外側部材９における上述した撮影補助部１２後方のスペースに収納されることとなる。
【００２２】
また、撮影補助部１２が撮影光学系１５の被写体側の光軸上に確保されたスペースへ入り込む際に、保護ガラス１４表面に付着しているごみやほこり等はクリーニング部材１３によって拭き取られ、保護ガラス１４のクリーニングが行われる（なお、保護ガラス１４は外側部材９を図中左方向へスライドさせる場合も同様にクリーニングが行われる。）。この構成により、保護ガラス１４の表面は、常にきれいな状態に維持することができる。なお、前記クリーニング部材１３は、保護ガラスを有しない構成であっても撮影光学系１５の表面をクリーニングする構成としてもよい。
【００２３】
これにより、図２（ａ）に示すように外側部材９が図中右方向へスライドして内側部材１０と完全に重なり、撮影補助部１２が撮影光学系１５の被写体側の光軸上に配置されることによって、カメラの横幅を縮小し小型化を図ることができる。また、撮影側本体部３内のスペースを有効に利用することができる。そして、撮影光学系１５の被写体側に撮影補助部１２が配置されることにより、カメラ１携帯時に撮影光学系１５が直接何かにぶつかること等によって不用意な力が加えられて破損することや、汚れが付着すること等を防ぐことができる。また、レンズバリヤを新たに設けることも不要であるため、カメラ１を必要最低限の大きさで構成することができる。
【００２４】
以上、本実施形態に係るデジタルカメラ１の撮影時から携帯時への構成を述べたが、携帯時から撮影時への構成については、まず、外側部材９を図中左方向へスライドさせる。これによって、内側部材１０の撮影光学系１５の被写体側の光軸上にスペースができる。そして駆動モータ１６によって、撮影光学系１５を構成する各レンズが保護ガラス１４とともに駆動されて、撮影光学系１５が撮影状態となる。なお、上述のように保護ガラス１４は、外側部材９を図中左方向へスライドさせる場合もクリーニング部材１３によってクリーニングされる。
【００２５】
また、本実施形態に係るデジタルカメラ１は、上述のように撮影側本体部３が、本体部２に対して回転連結部５を中心に回転可能な構成である。これにより、撮影者は、撮影側本体部３を本体部２に対して任意の角度だけ回転させて撮影を行うことができる。また、撮影側本体部３を被写体に向けて保持した後に本体部２を液晶モニタ７の見やすい角度に回転させて撮影を行うことができ、撮影者の負担を軽減することもできる。このように、撮影者は無理な姿勢をすることなく、あらゆる角度で撮影を行うことが可能となる（図３から図５を参照。）。
【００２６】
上記本実施形態によれば、撮影光学系１５のカバー部材として撮影補助部１２を用いることにより、カメラ本体の小型化を図り、かつ撮影時には持ちやすい大きさのデジタルカメラ１を提供することができる。
【図面の簡単な説明】
【００２７】
【図１】本発明の実施形態に係る撮影装置の撮影時の要部を断面で示した背面図（ａ）、上面図（ｂ）、スライド機構を説明する要部上面図（ｃ）を示す。
【図２】本発明の実施形態に係る撮影装置の携帯時の要部を断面で示した背面図（ａ）、上面図（ｂ）、スライド機構を説明する要部上面図（ｃ）を示す。
【図３】本発明の実施形態に係る撮影装置の撮影時に撮影側本体を回転させた状態を示す背面図（ａ）、要部を断面で示した上面図（ｂ）である。
【図４】本発明の実施形態に係る撮影装置の撮影時に撮影側本体を回転させた状態を示す、要部を断面で示した側面図である。
【図５】撮影者が撮影時に撮影側本体を回転させた状態で本発明の実施形態に係る撮影装置を保持する様子を示す側面図である。
【符号の説明】
【００２８】
１      デジタルカメラ
２      本体部
３      撮影側本体部
５      回転連結部
９      外側部材
１０    内側部材
１２    撮影補助部
１３    クリーニング部材
１４    保護ガラス
１５    撮影光学系
【図１】
2005292343.tif 000003
【図２】
2005292343.tif 000004
【図３】
2005292343.tif 000005
【図４】
2005292343.tif 000006
【図５】
2005292343.tif 000007